(57)【要約】【課題】  複数の機能の設定値の初期化をするためには、各機能の設定値を変更するための画面を表示させて、この画面において設定値の初期化を行う。そのため、多数の機能の設定値を初期化する場合、初期化する機能と同じ数だけ初期化の作業を繰り返さなければならないので、初期化の作業に膨大な手間と時間がかかる。【解決手段】  本発明の画像処理装置は、対応する設定値が初期値から変更された機能を画面で提示する提示手段と、ユーザが行う提示された機能の選択操作において提示された機能のうち選択された機能に対応する設定値を初期化する初期化手段を備えたことを特徴とする。設定値が初期値と異なる機能を同一画面で提示して、同じ画面で複数の機能を選択することができるようになっており、選択された機能の設定値が初期化されるようになっている。【選択図】  図１
2006071797.tif 000002
【特許請求の範囲】
【請求項１】
対応する設定値が初期値から変更された機能のみを同一画面にて提示する提示手段と、
同一画面にて提示された機能のうち、ユーザの選択操作によって選択された機能に対応する設定値を初期化する初期化手段を備えたことを特徴とするインターフェース装置。
【請求項２】
上記選択操作による選択を取り消す取消命令令を受け付ける受付手段を備えた請求項１に記載のインターフェース装置。
【請求項３】
上記提示手段は、提示する機能に対応する設定値も提示する請求項１に記載のインターフェース装置。
【発明の詳細な説明】
【技術分野】
【０００１】
本発明は、機能の設定値を操作パネルなどの画面で変更することができる機器に用いられるインターフェース装置に関する。
【背景技術】
【０００２】
画像処理装置は、液晶ディスプレイやＣＲＴ等の操作パネルをユーザインターフェイスとして備えるものがある。このような画像処理装置では、様々な機能についての実行条件となる設定値を変更したり、初期化したりすることが操作パネルからできるようになっている。
【０００３】
ユーザは、印刷や複写をする前に、現在設定されている各機能の設定値を確認して、各機能の設定値を自分が希望する値に変更する。この操作を簡単かつ迅速に行えるようにするために、特許３３１４７７３号公報に、設定値が初期値から変更されている機能名のみを画面で表示する記録装置が記載されている。設定値が初期値から変更されている機能名が表示されることで、ユーザは、設定値が初期値でない機能を一目で認識することができる。
【０００４】
設定値を初期化する場合、ユーザは、まず設定値を初期化する機能名を画面上で選択する。機能名が選択されると、選択された機能名の設定値をユーザに変更させる画面が表示される。この画面が表示されると、ユーザは、画面に初期値を入力する。記録装置は、入力された初期値を設定値とする。
【０００５】
複数の機能の設定値を初期化する場合は、ユーザは、上記の作業を機能毎に行う。
【特許文献１】特許３３１４７７３号公報
【発明の開示】
【発明が解決しようとする課題】
【０００６】
しかしながら、上記公報の記録装置では、初期化の作業は各機能毎に行なわれるので、多数の機能の設定値を初期化する場合、初期化する機能と同じ数だけ初期化の作業を繰り返さなければならないので、初期化の作業に膨大な手間と時間がかかる。
【０００７】
そこで本発明は、簡単かつ速やかに、設定値の初期化ができる画像処理装置を提供することを目的とする。
【課題を解決するための手段】
【０００８】
本発明のインターフェース装置は、設定値が初期値から変更された機能を同一画面にて提示する提示手段と、同一画面にて提示された機能のうち、ユーザの選択操作によって選択された機能に対応する設定値を初期化する初期化手段を備える。
【０００９】
よって、設定値が初期値と異なる機能を選択するだけで選択された設定値が初期化される。
【発明の効果】
【００１０】
以上のように、本発明の画像形成装置は、同一画面にて提示された機能が選択されると、選択された機能の設定値を初期化する。よって、複数の機能の設定値を初期化したい場合は、設定値を初期化したい複数の機能を同一画面上で選択するだけで、初期化したい設定値の全てが初期化される。よって、本発明の画像形成装置は、簡単かつ速やかに設定値の初期化を実現することができる。
【発明を実施するための最良の形態】
【００１１】
（実施の形態１）
図１に示す本実施の形態の画像処理装置１００は、複写命令、ファクシミリ送信命令、原稿の読取命令等を実行する実行手段１０２を備えている。実行手段１０２は、複数の機能を用いて処理を実行することができる。この機能とは、例えば、印刷物のソート、両面/片面印刷、用紙サイズ、コピー濃度、印刷画像の画質、枠消し等である。印刷物のソート、両面印刷、片面印刷、枠消しの機能を有効にするか否かや、用紙サイズの大小、コピー濃度の濃度、印刷画像の画質は、操作パネル１０３を用いてユーザが設定することができるようになっている。
【００１２】
画像処理装置１００の記憶手段１０１には、図２に示すように、印刷物のソート、両面印刷、片面印刷、枠消しの機能を有効にするか否かや、用紙サイズの大小、コピー濃度の濃度、印刷画像の画質を表す設定値２００が記憶されている。記憶手段１０１が記憶する設定値は、各設定値の初期値２０１と、操作パネル１０３を用いてユーザが設定したユーザ設定値２０２の両方である。
【００１３】
実行手段１０２は、複写命令、ファクシミリ送信命令、原稿の読取命令等があると、記憶手段１０１に記憶されたユーザ設定値２０２に基いて、これらの命令を実行する。
【００１４】
操作パネル１０３の初期画面は、図３に示すように、記憶手段１０１に設定値２００が記憶された機能のうち複写命令に関連する機能のキーからなる機能キー群３０１と、複写命令、ファクシミリ送信命令、原稿の読取命令を入力する命令入力キー３０２〜３０４と、スタートキー３０５と、ユーザ設定値キー３０６が表示されている。
【００１５】
初期画面には、複写命令の機能キー群３０１が表示されているが、命令入力キー３０２〜３０４の一つが押下されると、記憶手段１０１に設定値２００が記憶された機能のうち押下された命令入力キー３０２〜３０４に関連する機能のキーから構成される機能キー群が操作パネル１０３に表示される。よって、例えば、ユーザが、ファクシミリ送信命令の命令入力キー３０３を押下すると、記憶手段１０１に設定値２００が記憶された機能のうちファクシミリ命令に関連する機能のキーからなる機能キー群が表示され、原稿の読取命令の命令入力キー３０４を押下すると、記憶手段１０１に設定値２００が記憶された機能のうち原稿の読取命令に関連する機能のキーからなる機能キー群が表示される。
【００１６】
機能キー群を構成する一つの機能のキーが押下されると、変更手段１０６は、キーが押下された機能の記憶手段１０１に記憶されたユーザ設定値２０２を変更する画面を操作パネル１０３に表示する。
【００１７】
例えば、図３に示す用紙サイズのキー３０７をユーザが押下すると、変更手段１０６によって、図４に示すような用紙サイズのユーザ設定値２０２を変更する画面が表示される。
【００１８】
例えば、ユーザは、ユーザ設定値２０２をＡ３の用紙にしたい場合、図４の画面に表示されたＡ３キー４０１を選択して決定キー４０２を押下する。決定キー４０２が押下されると、変更手段１０６は、記憶手段１０１に記憶された用紙サイズのユーザ設定値２０２をＡ３に変更する。また、決定キー４０２が押下されると、変更手段１０６は、操作パネル１０３を初期画面に戻す。
【００１９】
このようにして、ユーザは、操作パネル１０３を用いて、各機能のユーザ設定値２０２を個別に変更することができる。
【００２０】
また、実行手段１０２に複写命令等を実行させたい場合は、ユーザは、実行させたい命令の命令入力キー３０２〜３０４を押下してスタートキー３０５を押下する。実行手段１０２は、スタートキー３０５が押下されると、最後に入力された命令入力キー３０２〜３０４に対応する命令を記憶手段１０１に記憶されたユーザ設定値２０２に基いて実行する。
【００２１】
従って、実行手段１０２に命令を実行させる前に、上記のようにユーザ設定値２０２を個別に変更することで、ユーザの所望するユーザ設定値２０２に従って実行手段１０２に命令を実行させることができる。
【００２２】
上記した方法によって、ユーザ設定値２０２を初期値２０１と同じ値に変更することで各機能のユーザ設定値２０２の初期化を行うことができるが、複数の機能のユーザ設定値２０２を初期化したい場合は、何度も、命令入力キー３０２〜３０４や、初期化したいキーを押下して図４に示すような画面を表示させて初期値を入力することは面倒である。
【００２３】
そこで、ユーザ設定値の初期化を個別にではなく、一括して行う場合、ユーザは、初期画面のユーザ設定値キー３０６を押下する。ユーザ設定値キー３０６が押下されると、提示手段１０４は、図５（ａ）に示すようなユーザ設定値２０２の確認画面を下記の手順で操作パネル１０３に表示する。
【００２４】
提示手段１０４は、ユーザ設定値キー３０６が押下されると、記憶手段１０１を参照して、初期値２０１と異なるユーザ設定値２０２とその機能名２０３を抽出する（図６、Ｓ４０１）。本実施の形態では、図２に示すように、両面/片面印刷、用紙サイズ、印刷画像の画質、枠消しの機能のユーザ設定値２０２と初期値２０１が異なっている。従って、本実施の形態では、両面/片面印刷、用紙サイズ、印刷画像の画質、枠消しの機能の機能名２０３とユーザ設定値２０２が抽出される。提示手段１０４は、抽出した機能名２０３とユーザ設定値２０２を図５（ａ）に示すように操作パネル１０３に表示する（図６、Ｓ４０２）。
【００２５】
よって、ユーザ設定値キー３０６を押下するだけで、ユーザは、ユーザ設定値２０２が初期値２０１と異なっている機能名２０３と、その機能２０３のユーザ設定値２０２を認識することができる。
【００２６】
ユーザは、操作パネル１０３にて提示された機能名２０３の中にユーザ設定値２０２を初期化したい機能名２０３がある場合、クリアキー５０１を押下してから、初期化したい機能名２０３をシングルクリックする（図６、Ｓ４０３→Ｓ４０４）。ユーザ設定値２０２を初期化したい機能名が複数ある場合は、ユーザは、ユーザ設定値２０２を初期化したい全部の機能名２０３をシングルクリックする。
【００２７】
クリアキー５０１の押下とシングルクリックされた機能名２０３は、初期化手段１０５に入力される。初期化手段１０５は、クリアキー５０１の押下された旨が入力された後に入力された機能名２０３に対応するユーザ設定値２０２を初期値２０１と同じ値にする（図６、Ｓ４０５）。初期値２０１と同じ値にすると、初期化手段１０５は、初期化の完了したことをユーザが分かるようにするために、図５（ｂ）に示すように初期化した機能名２０３の表示を白黒反転させる（図６、Ｓ４０６）。
【００２８】
ユーザは、ユーザ設定値２０２を初期化したり変更したりして各機能のユーザ設定値２０２を自分が所望する値にすると、図５（ｂ）に示す終了キー５０２を押下する（図６、Ｓ４０７）。終了キー５０２が押下されると、初期化手段１０５は、操作パネル１０３を初期画面に戻す。
【００２９】
よって、ユーザは、ユーザ設定値２０２の初期化をしたい機能名２０３をシングルクリックで選択するだけで、ユーザ設定値２０２を初期化することができる。従って、ユーザ設定値２０２を初期化した機能が複数あっても、ユーザは、ユーザ設定値２０２を初期化したい機能と同じ回数だけシングルクリックするだけで、ユーザ設定値２０２を初期化したい全ての機能のユーザ設定値２０２を初期化することができる。
【００３０】
なお、図５（ａ）に示す確認画面に表示された機能名２０３をダブルクリックして選択した場合、変更手段１０６によって図４に示すような画面が表示されて、ダブルクリックされた機能名２０３のユーザ設定値２０２を変更できるようにしてもよい。
【００３１】
（実施の形態２）
本実施の形態では、ユーザ設定値２０２を初期化したくない機能名２０３をユーザが誤って選択した場合は、ユーザ設定値２０２の初期化を防ぐことができる構成について説明する。図５（ａ）に示す確認画面を表示させるまでの手順は、実施の形態１に記載した手順と同じである。
【００３２】
図５（ａ）に示す確認画面において、機能名２０３がシングルクリックされると、初期化手段１０５は、シングルクリックされた機能名２０３が記憶された記憶手段１０１の領域と対応するフラグ領域２０４に「有効」を記憶させる（図８、Ｓ８０１）。
【００３３】
初期化手段１０５は、フラグ領域２０４に「有効」を記憶させた機能名２０３を図７に示すように、他の機能名２０３と異なる形態で表示し、他の機能名２０３と異なる形態で表示している機能名２０３を受付手段１０７に通知する。
【００３４】
異なる形態で表示された機能名２０３がシングルクリックされると、シングルクリックされた機能名２０３の選択の取消命令があったと受付手段１０７は認識し、シングルクリックされた機能名２０３を初期化手段１０５に通知する。初期化手段１０５は、受付手段１０７から通知された機能名２０３に対応するフラグ領域２０４を「無効」に更新する（図８、Ｓ８０１）と共に、受付手段１０７から通知された機能名２０３の元の表示形態で操作パネル１０３に表示する。
【００３５】
初期化手段１０５は、終了キー５０２がシングルクリックされた時にフラグ領域２０４が「有効」となっている機能名２０３のユーザ設定値２０２のみを初期化する（図８、Ｓ４０７→Ｓ４０５）。
【００３６】
よって、ユーザは、初期化したくない機能名２０３を誤ってシングルクリックしても、その後その機能名２０３を再度シングルクリックすれば、初期化されることを防ぐことができる。
【００３７】
今回は、プリンタ、複写機、ファクシミリ等の画像処理装置についての例を挙げたが、本発明は機能の設定値を操作パネルなどの画面で変更することができる機器全てに適応可能である。
【図面の簡単な説明】
【００３８】
【図１】本発明の画像処理装置の機能ブロック図。
【図２】記憶手段に記憶されたデータの概念図。
【図３】操作パネルの初期画面の模式図。
【図４】ユーザ設定値を変更するための画面の模式図。
【図５】確認画面の模式図。
【図６】ユーザ設定値を一括して初期化する手順を示すフロー図。
【図７】フラグ領域が有効とされた機能名が他の機能名と異なる形態で表示された画面の模式図。
【図８】ユーザ設定値を一括して初期化する手順を示すフロー図。
【符号の説明】
【００３９】
１００  画像処理装置
１０１  記憶手段
１０２  実行手段
１０３  操作パネル
１０４  提示手段
１０５  初期化手段
１０６  変更手段
１０７  受付手段
【図１】
2006071797.tif 000003
【図２】
2006071797.tif 000004
【図３】
2006071797.tif 000005
【図４】
2006071797.tif 000006
【図５】
2006071797.tif 000007
【図６】
2006071797.tif 000008
【図７】
2006071797.tif 000009
【図８】
2006071797.tif 000010